(57)【特許請求の範囲】
【請求項１】
固定接点部が配置されたハウジングと、
前記ハウジング内に揺動可能に配置され、前記固定接点部に対して可動接点部を離接可能に操作する操作部とを備え、
前記操作部は、前記ハウジングの短手方向で対向する一対の側壁部の内側に沿うように設けられた一対の対向壁部を有し、前記固定接点部と前記可動接点部との離間時に、前記一対の対向壁部の一部を、前記ハウジングの一対の側壁部と前記可動接点部との間に介在させるものであり、
前記一対の対向壁部には、前記固定接点部と前記可動接点部との離間時に、前記固定接点部との干渉を避ける切欠部が形成されていることを特徴とするシーソースイッチ。
【請求項２】
前記操作部は、前記固定接点部と前記可動接点部との離間時に、前記一対の対向壁部の一部を前記固定接点部側に近付けるように揺動することを特徴とする請求項１に記載のシーソースイッチ。
【請求項３】
前記ハウジングは、一面が開口され、前記固定接点部を底壁部に設けて形成され、
前記一対の対向壁部は、前記固定接点部と前記可動接点部との離間時に、前記固定接点部に対して、前記固定接点部から前記ハウジングの開口までの距離の１／１０の距離に近づくことを特徴とする請求項２に記載のシーソースイッチ。
【請求項４】
前記可動接点部は、前記操作部によって操作される導体板に設けられており、前記導体板には、前記一対の対向壁部の内面に接するガイド片が設けられたことを特徴とする請求項１から請求項３のいずれかに記載のシーソースイッチ。
【請求項５】
前記ハウジングは、短手方向に位置する一対の側壁部のそれぞれに対向し、前記ハウジング内を仕切る仕切壁部を有し、
前記固定接点部および前記可動接点部は、前記仕切壁部によって仕切られたハウジング内のそれぞれに配置され、
前記操作部は、前記仕切壁部の外面に沿うように設けられた別の一対の対向壁部を有し、
前記固定接点部と前記可動接点部との離間時に、前記別の一対の対向壁部の一部を、前記仕切壁部と前記可動接点部との間に介在させることを特徴とする請求項１から請求項４のいずれかに記載のシーソースイッチ。
【発明の詳細な説明】
【技術分野】
【０００１】
本発明は、シーソースイッチに関し、特に、液晶テレビやプラズテレビ等の各種電子機器の電源スイッチとして用いられる薄型のシーソースイッチに関する。
【背景技術】
【０００２】
従来、各種電子機器の電源スイッチとして用いられるシーソースイッチとして、操作部の揺動により電源のＯＮ、ＯＦＦを切り替えるものが知られている（例えば、特許文献１参照）。このシーソースイッチは、上面を開口したハウジング内に、可動接点部を操作する操作部を揺動可能に配置して構成される。可動接点部は、ハウジングの底壁部に設けられた固定接点部に対して離接可能に配置されている。そして、操作部が揺動操作されることで、可動接点部と固定接点部とが離接され、電源のＯＮ、ＯＦＦが切り替えられる。
【０００３】
また、このようなシーソースイッチにおいては、ハウジングの側壁部と可動接点部との間のクリアランスを広くとることで、電源のＯＦＦ時の絶縁耐久性が高められている。すなわち、可動接点部と固定接点部との離接時にアーク放電等により発生する微小な金属粉が、ハウジングの側壁に飛着するのを防止して、ハウジングに見かけの導通経路が形成されることが防止される。
【先行技術文献】
【特許文献】
【０００４】
【特許文献１】特許第３０６４８２１号公報
【発明の概要】
【発明が解決しようとする課題】
【０００５】
ところで、近年、電子機器の小型化に伴い、シーソースイッチの薄型化が求められている。しかしながら、上記した特許文献１に記載のシーソースイッチにおいて、ハウジングの側壁部間を狭めた場合には、側壁部と可動接点部とのクリアランスが十分に得られず、絶縁耐久性を維持した状態で薄型化をすることが困難となっていた。すなわち、側壁部と可動接点部とが近接されるため、可動接点部と固定接点部との離接によって発生した金属粉が側壁部に飛着し、電源のＯＦＦ時（スイッチＯＦＦ時）に見かけの導通経路が形成されるおそれがあった。
【０００６】
本発明はこのような実情に鑑みてなされたものであり、絶縁耐久性を維持した状態で、薄型化が可能なシーソースイッチを提供することを目的とする。
【課題を解決するための手段】
【０００７】
本発明のシーソースイッチは、固定接点部が配置されたハウジングと、前記ハウジング内に揺動可能に配置され、前記固定接点部に対して可動接点部を離接可能に操作する操作部とを備え、前記操作部は、前記ハウジングの短手方向で対向する一対の側壁部の内側に沿うように設けられた一対の対向壁部を有し、前記固定接点部と前記可動接点部との離間時に、前記一対の対向壁部の一部を、前記ハウジングの一対の側壁部と前記可動接点部との間に介在させるものであり、前記一対の対向壁部には、前記固定接点部と前記可動接点部との離間時に、前記固定接点部との干渉を避ける切欠部が形成されていることを特徴とする。
【０００８】
この構成によれば、可動接点部と固定接点部との離間時（スイッチＯＦＦ時）に、一対の対向壁部の一部がハウジングの一対の側壁部と可動接点部との間に介在されるため、金属粉がハウジングの一対の側壁部に飛着していても可動接点部と側壁部に飛着した金属粉とが近接することがないものとなる。このため、側壁部と可動接点部とのクリアランスを小さくしても、スイッチＯＦＦ時に見かけの導通経路が形成されることがない。よって、絶縁耐久性を維持した状態でシーソースイッチの薄型化を図ることができる。
またこの構成によれば、スイッチＯＦＦ時に一対の対向壁部の一部を固定接点側に近付けつつ、一対の対向壁部の一部と固定接点部との接触を防止することができる。
【０００９】
また本発明は、上記シーソースイッチにおいて、前記操作部は、前記固定接点部と前記可動接点部との離間時に、前記一対の対向壁部の一部を前記固定接点部側に近付けるように揺動することを特徴とする。
【００１０】
また本発明は、上記シーソースイッチにおいて、前記ハウジングは、一面が開口され、前記固定接点部を底壁部に設けて形成され、前記一対の対向壁部は、前記固定接点部と前記可動接点部との離間時に、前記固定接点部に対して、前記固定接点部から前記ハウジングの開口までの距離の１／１０の距離に近づくことを特徴とする。
【００１１】
これらの構成によれば、スイッチＯＦＦ時に一対の対向壁部の一部が固定接点部側に近づくことで、可動接点部と固定接点部との離接時に発生した金属粉がハウジングに対して固定接点部の近傍にのみ飛着される。このため、ハウジングに対する金属粉の飛着位置を、絶縁耐久性に影響のない位置に抑えることができる。
【００１４】
また本発明は、上記シーソースイッチにおいて、前記可動接点部は、前記操作部によって操作される導体板に設けられており、前記導体板には、前記一対の対向壁部の内面に接するガイド片が設けられたことを特徴とする。
【００１５】
この構成によれば、可動接点部の可動時に、導体板がガイド片を介して一対の対向壁部の内面にガイドされるため、導体板が傾いてハウジングに干渉することが防止される。
【００１６】
また本発明は、上記シーソースイッチにおいて、前記ハウジングは、短手方向に位置する一対の側壁部のそれぞれに対向し、前記ハウジング内を仕切る仕切壁部を有し、前記固定接点部および前記可動接点部は、前記仕切壁部によって仕切られたハウジング内のそれぞれに配置され、前記操作部は、前記仕切壁部の外面に沿うように設けられた別の一対の対向壁部を有し、前記固定接点部と前記可動接点部との離間時に、前記別の一対の対向壁部の一部を、前記ハウジングの一対の側壁部と前記可動接点部との間に介在させることを特徴とする。
【００１７】
この構成によれば、２つの可動接点部および２つの固定接点部を有する双極型（２回路）のシーソースイッチにおいても、絶縁耐久性を維持した状態で薄型化を図ることができる。
【発明の効果】
【００１８】
本発明によれば、スイッチＯＦＦ時の絶縁耐久性を維持した状態で、薄型化が可能なシーソースイッチを提供することを目的とする。
【図面の簡単な説明】
【００１９】
【図１】本発明に係るシーソースイッチの実施の形態を示す図であり、シーソースイッチの斜視図である。
【図２】本発明に係るシーソースイッチの実施の形態を示す図であり、シーソースイッチの分解斜視図である。
【図３】本発明に係るシーソースイッチの実施の形態を示す図であり、操作部の下面側から見た斜視図である。
【図４】本発明に係るシーソースイッチの実施の形態を示す図であり、シーソースイッチを長手方向に沿う鉛直面で切断した断面図である。
【図５】本発明に係るシーソースイッチの実施の形態を示す図であり、シーソースイッチを短手方向に沿う鉛直面で切断した断面図である。
【図６】本発明に係るシーソースイッチの実施の形態を示す図であり、シーソースイッチによるスイッチ動作の説明図である。
【発明を実施するための形態】
【００２０】
以下、本発明の実施の形態について添付図面を参照して詳細に説明する。なお、以下においては、本発明を２つの電源回路に対応した双極型のシーソースイッチに適用する場合について説明する。しかしながら、本実施の形態に係るシーソースイッチの適用対象については、これに限定されるものではなく適宜変更が可能である。
【００２１】
図１および図２を参照して、シーソースイッチの全体構成について説明する。図１は、本発明の実施の形態に係るシーソースイッチの斜視図である。図２は、本発明の実施の形態に係るシーソースイッチの分解斜視図である。
【００２２】
図１および図２に示すように、本実施の形態に係るシーソースイッチ１は、上面が開口されたハウジング２に操作部３を揺動可能に装着し、操作部３の揺動により電源回路のＯＮ、ＯＦＦが切替可能に構成されている。また、シーソースイッチ１は、固定端子４、中央端子５、固定端子４および中央端子５を導通させる導体板６をそれぞれ一対有しており、双極型の電源スイッチとして機能する。
【００２３】
ハウジング２は、絶縁性の樹脂により薄幅の収容空間を有する略直方体状に形成されている。ハウジング２の短手方向で対向する一対の側壁部１１には、それぞれ操作部３を揺動可能に支持する軸孔１２が形成されている。ハウジング２の長手方向で対向する一対の側壁部１３の外面には、図示しない電子機器に対する装着用の係合バネ１４が設けられている。また、ハウジング２内には、収容空間の略下半部を長手方向に沿うように仕切る仕切壁部１５が設けられている。
【００２４】
ハウジング２の底壁部１６には、仕切壁部１５により仕切られた両側に、それぞれ固定端子４と中央端子５とが取り付けられている。固定端子４および中央端子５は、長手方向に離間して取り付けられ、底壁部１６に設けられた図示しない挿通孔を介してハウジング２外に外部端子部４３、５２を突出させている。また、ハウジング２内には、仕切壁部１５により仕切られた両側に、それぞれ巻きバネ７を保持した導体板６が収容されている。
【００２５】
固定端子４は、導電性を有する金属板により形成され、固定接点部４２を保持する固定接点保持部４１と、固定接点保持部４１から略直角に折り曲げられた上記した外部端子部４３とを有している。固定接点保持部４１は、ハウジング２の底壁部１６に配置されており、ハウジング２の収容空間内に固定接点部４２を露出させている。
【００２６】
中央端子５は、導電性を有する金属板により形成され、導体板６を支持する支持部５１と、支持部５１から略直角に折り曲げられた上記した外部端子部５２とを有している。支持部５１は、ハウジング２の長手方向に延在し、延在方向の一端側で導体板６を支持し、他端側に外部端子部５２が設けられている。また、支持部５１の延在方向の一端側には、側方から導体板６の可動をガイドする一対のガイド片５３が設けられている。
【００２７】
導体板６は、導電性を有する金属板により形成され、巻きバネ７を保持する側面視略Ｕ字状のバネ保持部６１と、バネ保持部６１の一端側において可動接点部６３を保持する可動接点保持部６２とを有している。バネ保持部６１は、巻きバネ７を保持した状態で、支持部５１の一端側に載置されている。この場合、ハウジング２の底壁部１６には、中央端子５と固定端子４との間にバネ保持部６１の揺動を受け入れ可能な窪み部１７が形成されている（図４参照）。
【００２８】
すなわち、バネ保持部６１は、窪み部１７の上方に略半部を浮かした状態で支持部５１の一端側に載置される。この状態で、バネ保持部６１の略半部が窪み部１７に入り込むことで、導体板６全体が傾動される。可動接点保持部６２は、固定接点部４２の上方に可動接点部６３を保持している。可動接点保持部６２は、導体板６全体が揺動されることで、可動接点部６３を固定接点部４２に対して離接させる。
【００２９】
操作部３は、下面を開口し、絶縁性の樹脂により薄幅の収容空間を有する略直方体状に形成されている。操作部３の短手方向に位置する外壁部３１には、ハウジング２に形成された軸孔１２に支持される支軸部３３が外面から突出して形成されている。操作部３は、ハウジング２に装着されることで、巻きバネ７を介して導体板６の可動接点部６３を固定接点部４２に対して離接可能に操作する。また、操作部３の長手方向の一端側には、シーソースイッチ１のスイッチＯＦＦ時（電源回路のＯＦＦ時）の絶縁耐久性を向上させるための延長部３４が設けられている。
【００３０】
図３を参照して、操作部の詳細構成について説明する。図３は、本発明の実施の形態に係る操作部の下面側から見た斜視図である。
【００３１】
図３に示すように、操作部３は、短手方向に対向する一対の外壁部３１と、長手方向で対向する一対の円弧状の外壁部３２とを有している。操作部３内には、一対の外壁部３１の長手方向の略半部のそれぞれに対向して一対の内壁部３５が設けられている。一対の内壁部３５間には、ハウジング２の仕切壁部１５が挿入されるスリット３６が形成されている。また、操作部３の長手方向の中間部には、スリット３６を挟んで短手方向に並んで一対の支柱部３７が設けられている。
【００３２】
一対の支柱部３７は、巻きバネ７に摺動可能に当接する当接面３８を有している。当接面３８は、操作部３の揺動により巻きバネ７の外周面上を摺動して、導体板６に対し巻きバネ７を介して異なる方向から押圧力を付与する。導体板６は、巻きバネ７を介して操作部３から付与された押圧力により、可動接点部６３を固定接点部４２に対して離接させるように操作される。
【００３３】
操作部３は、一対の外壁部３１をハウジング２の一対の側壁部１１の内面に沿わせ、一対の内壁部３５をハウジング２の仕切壁部１５の外面に沿わせるようにして、ハウジング２に装着される。なお、一対の外壁部３１は、一対の対向壁部を構成し、一対の内壁部３５は、別の一対の対向壁部を構成する。このように、一対の外壁部３１とこれに対向する一対の内壁部３５とにより、ハウジング２の側壁部１１および仕切壁部１５の内側に沿う２組の対向壁部が形成される。一対の外壁部３１の略半部および内壁部３５には、開口側に向かって延在する延長部３４が設けられている。
【００３４】
外壁部３１および内壁部３５は、各延長部３４において導体板６（可動接点部６３）が侵入可能なように薄肉に形成されている。各延長部３４の先端側（開口側）は、先端に向かってさらに薄肉となる傾斜部３９が形成されている。傾斜部３９は、導体板６を操作部３内に侵入可能にガイドする。各延長部３４は、シーソースイッチ１のスイッチＯＦＦ時に、可動接点部６３とハウジング２の側壁部１１との間、および可動接点部６３とハウジング２の仕切壁部１５との間に介在し、絶縁耐久性を向上させている。
【００３５】
このとき、各延長部３４は、外壁部３１および内壁部３５の各延長部３４以外の部分の厚さよりも薄肉に形成されるため、ハウジング２の側壁部１１と可動接点部６３とのクリアランス、ハウジング２の仕切壁部１５と可動接点部６３とのクリアランスを、それぞれ狭めた状態で絶縁することが可能となっている。したがって、操作部３の短手方向の幅寸法を小さくして、シーソースイッチ１の絶縁耐久性を向上させつつ、薄型化することが可能となっている。
【００３６】
ここで、図４および図５を参照して、シーソースイッチの絶縁構成について説明する。図４は、本発明の実施の形態に係るシーソースイッチを、長手方向に沿う鉛直面で切断した断面図である。図５は、本発明の実施の形態に係るシーソースイッチを、短手方向に沿う鉛直面で切断した断面図である。なお、図４および図５は、シーソースイッチのスイッチＯＦＦ時を示す断面図である。
【００３７】
図４および図５に示すように、シーソースイッチ１のスイッチＯＦＦ時には、操作部３は、長手方向における一端側の略半部が下がると共に他端側の略半部が上がるように揺動される。このとき、操作部３の支柱部３７は、巻きバネ７に対して図示右上側から当接する。よって、導体板６は、支柱部３７により巻きバネ７を介して中央端子５の支持部５１上に押し付けられ、窪み部１７から浮いた状態で保持される。また、導体板６の一端側に保持された可動接点部６３は、固定接点部４２の上方に離間されている。
【００３８】
また、このとき、操作部３は、各延長部３４をハウジング２の側壁部１１（仕切壁部１５）と可動接点部６３との間に介在させると共に、各延長部３４の先端に位置する傾斜部３９を固定接点部４２の近傍に近付ける。このように、シーソースイッチ１のスイッチＯＦＦ時には、可動接点部６３は、固定接点部４２に対して離間方向に移動され、延長部３４は、可動接点部６３とは逆の固定接点部４２に対して接近する方向に揺動される。
【００３９】
このため、可動接点部６３が、延長部３４の奥側まで入り込み、固定接点部４２から離れた上方位置において絶縁される。すなわち、可動接点部６３と固定接点部４２との離間時に飛散した金属粉が、各延長部３４の介在によりハウジング２の側壁部１１や仕切壁部１５の固定接点部４２から離れた位置において飛着することが抑制される。言い換えると、各延長部３４は、固定接点部４２の近傍位置まで延在しているため、ハウジング２の側壁部１１や仕切壁部１５に対する金属粉の飛着を固定接点部４２の近傍に制限できる。
【００４０】
このように、可動接点部６３と固定接点部４２との離間時に発生した金属粉が、固定接点部４２から遠い位置に飛着することなく、絶縁耐久性に影響の少ない固定接点部４２の近接位置にのみ飛着される。よって、シーソースイッチ１のスイッチＯＦＦ時に、ハウジング２に見かけの導通経路が形成されることがなく、絶縁耐久性が向上される。なお、この場合、可動接点部６３は、固定接点部４２からハウジング２の開口までの距離の１／１０の距離まで固定接点部４２に近づくことが好ましいが、金属粉の飛着位置を絶縁耐久性に影響のない位置に抑えることができれば、この距離に限定されない。
【００４１】
また、各延長部３４の先端側に位置する傾斜部３９は、固定接点部４２に対する接近位置において、固定接点部４２を避けるように切欠部４６が形成されている。各延長部３４は、この傾斜部３９に形成された切欠部４６により、固定接点部４２に接近しつつ、固定接点部４２との干渉を防止することが可能となっている。
【００４２】
一方、シーソースイッチ１のスイッチＯＮ時（電源回路のＯＮ時）には、操作部３は、長手方向における一端側の略半部が上がると共に、他端側の略半部が下がるように揺動される。このとき、操作部３の支柱部３７は、巻きバネ７に対して図示左上側から当接する。よって、導体板６は、操作部３の支柱部３７により巻きバネ７を介して窪み部１７に向けて押し付けられ、バネ保持部６１の略半部を窪み部１７に入れ込むように傾倒する。この場合、導体板６が、中央端子５の支持部５１の一端側のエッジ５４を支点として傾倒され、可動接点部６３を固定接点部４２に接触させる。
【００４３】
また、このとき、操作部３は、各延長部３４を固定接点部４２から離間させる。このように、シーソースイッチ１のスイッチＯＮ時には、可動接点部６３は、固定接点部４２に対して接近方向に移動され、延長部３４は、可動接点部６３とは逆の固定接点部４２に対する離間する方向に揺動される。
【００４４】
このため、可動接点部６３が、延長部３４から外れた位置において、固定接点部４２に接触される。したがって、可動接点部６３と固定接点部４２との接触時に飛散した金属粉が、固定接点部４２の近傍において、ハウジング２の側壁部１１や仕切壁部１５に飛着される。この場合、金属粉は、固定接点部４２側から積み上がる場合があるが、延長部３４が所定の高さに位置されているため、絶縁耐久性に影響が生じる位置以上に積み上がることがない。
【００４５】
また、導体板６は、対向する一対の延長部３４の内側に接する一対のガイド片６４を有している。ガイド片６４は、可動接点部６３が延長部３４から外れるシーソースイッチ１のスイッチＯＮ時においても、延長部３４の傾斜部３９に接している（図６（ｂ）参照）。導体板６は、一対のガイド片６４を介して一対の延長部３４にガイドされた状態で可動されるため、可動接点部６３を延長部３４の奥方にスムーズに侵入させることができる。また、導体板６が一対の延長部３４間で位置決めされるため、可動接点部６３がハウジング２に接して干渉することが防止され、操作部３の操作性を向上させることができる。
【００４６】
図６を参照して、シーソースイッチによるスイッチ動作について説明する。図６は、本発明の実施の形態に係るシーソースイッチによるスイッチ動作の説明図である。なお、図６において、（ａ）がシーソースイッチのスイッチＯＦＦ時、（ｂ）がシーソースイッチのスイッチＯＮ時をそれぞれ示す。
【００４７】
図６（ａ）に示すシーソースイッチ１のスイッチＯＦＦ時には、操作部３の長手方向の一端側が押し下げられており、導体板６が可動接点部６３を固定接点部４２から離間させた状態で保持されている。また、操作部３の各延長部３４は、ハウジング２の側壁部１１と可動接点部６３との間、ハウジング２の仕切壁部１５と可動接点部６３との間に入り込み、ハウジング２の側壁部１１や仕切壁部１５に対する金属粉の飛着を抑制している。
【００４８】
このスイッチＯＦＦ状態から、図６（ｂ）に示すように、操作部３の長手方向の他端側が押し下げられると、支柱部３７による巻きバネ７に対する押圧位置が移動され、導体板６のバネ保持部６１の略半部が窪み部１７に押し込まれる。このとき、導体板６は、中央端子５の支持部５１のエッジ５４を支点として時計回りに傾動し、可動接点部６３を下方に可動させて固定接点部４２に接触させる。そして、固定端子４と中央端子５とが、導体板６を介して導通され、シーソースイッチ１がスイッチＯＮされる。
【００４９】
また、操作部３の各延長部３４は、可動接点部６３とは逆に上方に可動され、可動接点部６３と固定接点部４２との接触位置から離間される。この場合、可動接点部６３と固定接点部４２との接触によって発生した金属粉が、固定接点部４２の近傍に積み上がる場合があるが、各延長部３４により所定の高さ以上に積み上がることが防止されている。
【００５０】
スイッチＯＮ状態から、図６（ａ）に示すように、再び操作部３の長手方向の一端側が押し下げられると、支柱部３７による巻きバネ７に対する押圧位置が移動され、導体板６のバネ保持部６１が窪み部１７から抜け出される。このとき、導体板６は、中央端子５の支持部５１のエッジ５４を支点として反時計回りに傾動し、可動接点部６３を上方に可動させて固定接点部４２から離間させる。そして、固定端子４と中央端子５とが非導通となりシーソースイッチ１がスイッチＯＦＦされる。
【００５１】
また、操作部３の各延長部３４は、可動接点部６３とは逆に下方に可動され、固定接点部４２に近付けられる。この場合、可動接点部６３が固定接点部４２から離れた各延長部３４の奥側に位置される。よって、可動接点部６３と固定接点部４２との離間時に飛散した金属粉が、ハウジング２の開口に近い上方位置において、ハウジング２の側壁部１１や仕切壁部１５に飛着することが抑制される。また、延長部３４は、固定接点部４２に近付けられるため、ハウジング２の側壁部１１や仕切壁部１５に対する金属粉の飛着を固定接点部４２の近傍に制限する。
【００５２】
このように、シーソースイッチ１は、操作部３を揺動させることで、導体板６に設けられた可動接点部６３が固定接点部４２に対して離接可能に操作され、スイッチＯＮ、ＯＦＦが切り替えられる。また、シーソースイッチ１は、操作部３に設けた各延長部３４により、スイッチＯＮ、ＯＦＦの切替時に発生する金属粉の飛着を、絶縁耐久性に影響のない固定接点部４２の近傍に制限している。
【００５３】
以上のように、本実施の形態に係るシーソースイッチ１によれば、可動接点部６３と固定接点部４２との離間時に、可動接点部６３とハウジング２の側壁部１１との間、および可動接点部６３とハウジング２の仕切壁部１５との間に各延長部３４が介在される。このため、金属粉がハウジング２の側壁部１１や仕切壁部１５に飛着することが抑制され、可動接点部６３とハウジング２の側壁部１１とのクリアランス、および可動接点部６３とハウジング２の仕切壁部１５とのクリアランスを小さくしても、スイッチＯＦＦ時に見かけの導通経路が形成されることがない。よって、絶縁耐久性を維持した状態でシーソースイッチ１の薄型化を図ることが可能となる。
【００５４】
なお、上記した実施の形態においては、本発明を２つの電源回路に対応した双極型のシーソースイッチに適用する構成について説明したが、この構成に限定されるものではない。本発明は、１つの電源回路に対応した単極型のシーソースイッチに適用されてもよいし、３つ以上の電源回路に対応したシーソースイッチに適用されてもよい。
【００５５】
本発明が単極型のシーソースイッチに適用される場合には、ハウジングが仕切壁部を有さず、操作部が内壁部を有さない構成とする。操作部は、ハウジングの短手方向で対向する一対の側壁部の内側に沿うように設けられた一対の外壁部を有し、この一対の外壁部に延長部を設けるようにする。延長部は、上記した実施の形態と同様に、可動接点部と固定接点部との離間時（スイッチＯＦＦ時）に可動接点部とハウジングの一対の側壁部との間に介在されるようにする。
【００５６】
また、上記した実施の形態においては、操作部が、巻きバネを介して可動接点部を固定接点部に対して離接可能に操作したが、この構成に限定されるものではない。操作部は、可動接点部を固定接点部に対して離接可能に操作する構成であればよく、例えば、巻きバネを設けずに導体板を直に操作する構成としてもよい。
【００５７】
また、上記した実施の形態においては、延長部が薄肉に形成される構成としたが、この構成に限定されるものではない。可動接点部が、対向する延長部間に侵入可能であれば、シーソースイッチの薄型化に影響を与えない程度に厚肉に形成されていてもよい。
【００５８】
また、上記した実施の形態においては、延長部の先端側に、傾斜部が設けられる構成としたが、この構成に限定されるものではない。延長部は、導体板が操作部に対してスムーズに可動可能であれば、傾斜部を設けない構成としてもよい。
【００５９】
また、上記した実施の形態においては、本発明のシーソースイッチが、電源スイッチとして使用される構成について説明したが、この構成に限定されるものではない。本発明のシーソースイッチは、電気回路の一部に用いられればよく、例えば、回路の切り替え等に用いられてもよい。
【００６０】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６１】
以上説明したように、本発明は、絶縁耐久性を維持した状態で、薄型化を図ることができるという効果を有し、特に、液晶テレビやプラズマテレビ等の各種電子機器の電源スイッチとして用いられる薄型のシーソースイッチに有用である。
【符号の説明】
【００６２】
１  シーソースイッチ
２  ハウジング
３  操作部
４  固定端子
５  中央端子
６  導体板
７  巻きバネ
１１  側壁部
１２  軸孔
１５  仕切壁部
１７  窪み部
３１  外壁部（一対の対向壁部）
３３  支軸部
３４  延長部（一対の対向壁部の一部、別の一対の対向壁部の一部）
３５  内壁部（別の一対の対向壁部）
３６  スリット
３９  傾斜部
４２  固定接点部
４６  切欠部
６１  バネ保持部
６３  可動接点部
６４  ガイド片
【図１】
0005588778.tif 000002
【図２】
0005588778.tif 000003
【図３】
0005588778.tif 000004
【図４】
0005588778.tif 000005
【図５】
0005588778.tif 000006
【図６】
0005588778.tif 000007